(57)【要約】      （修正有）【課題】回転工具の回転動作時における滑りを極力なくして大きな回転力を付加し得る簡便構造の回転工具握柄部構造を提供する。【解決手段】ドライバの握柄部２は横断面が多角形状に形成され、その夫々の面５上には突出する複数本の筋目９からなる筋目群１０が長手方向及び長手直角方向に沿って形成される。ドライバの回転動作時には手平や指がこの筋目群に圧接し、すべりが発生せず、大きな回転力を与えることができる。【選択図】図２
0003101160.tif 000002
【実用新案登録請求の範囲】
【請求項１】
回転工具の基端側に設けられ手平又は指で圧持される細長の回転工具握柄部構造であって、該握柄部構造は、その横断面の外面形状が略多角形のものからなり、多角状の各面の全部又は一部には突起した筋目がその長手方向及び長手直角方向にほぼ沿って多数本形成されることを特徴とする回転工具握柄部構造。
【請求項２】
前記筋目が傾斜して形成されることを特徴とする請求項１に記載の回転工具握柄部構造。
【請求項３】
長手直角方向に沿って形成される前記筋目の本数が長手方向において相異することを特徴とする請求項１又は２に記載の回転工具握柄部構造。
【考案の詳細な説明】
【技術分野】
【０００１】
本考案は、ドライバのような回転工具の握柄部構造に係り、特に、回転動作時における回転力損失の少ない回転工具握柄部構造に関する。
【背景技術】
【０００２】
ドライバのような回転工具にはその基端側に細長な握柄部が形成され、この握柄部を手平又は指で圧持して回転工具に回転力を与える構造からなる。従って、この握柄部は回転動作時に回転力ロスが生じないような形状，構造にする必要があり、各種の公知技術がある。例えば、「特許文献１」や「実用新案登録文献２」や「意匠登録文献３」等が挙げられる。
【特許文献１】特開平５−６９３４７号（図１）
【特許文献２】実用新案登録第３０９４９４２号（図１）
【特許文献３】意匠登録第１０８３２５４号（図１）
【考案の開示】
【考案が解決しようとする課題】
【０００３】
「特許文献１」の特開平５−６９３４７号の「工具握柄」は握柄本体（１）にドライバー杆（５）を嵌着する構造に特徴を有するものであるが、握柄本体（１）の外面に長手方向に沿って凹凸形状部が図示され、この凹凸形状部に手平や指をからませて握柄本体（１）の圧持を確実にする構造のものが開示されている。また、「実用新案登録文献２」の実用新案登録第３０９４９４２号の「回転工具用ソケット」は回転工具装着部材（３）が嵌着されるソケット本体（２）に識別部材（４）を嵌着しその色違いによってソケット本体（２）の種類を識別することに特徴を有するものであるが、その図１にあるように、ソケット本体（２）には長手方向によって曲面が形成され、この曲面形状部を手平で圧持することにより回転力を確保するようにしている。また、「意匠登録文献３」の意匠登録第１０８３２５４号の「ドライバーの柄」はその図１にあるように、握柄部に複数種類の凹部を形成し、この凹部を手平又は指で圧持して大きな回転力を与えるようにすることに特徴を有するものである。
【０００４】
以上の公知技術は前記のように夫々特徴を有するものであるが、回転力ロスを極力少なくする点における工夫が不十分であり、握柄部への手平や指の圧接形態を基にして握柄部構造を工夫しているものではない。また、前記以外の公知技術においても握柄部と手平や指との回転時における圧接動作を基にしてその柄部構造を工夫しているものは見当らない。
【０００５】
本考案は、以上の事情に鑑みて考案されたものであり、回転工具の回転動作時における握柄部と手平や指の圧接形態を基にして回転力ロスを極力少なくするような構造であって、比較的簡便に製作し得る回転工具握柄部構造を提供することを目的とする。
【課題を解決するための手段】
【０００６】
本考案は、以上の目的を達成するために、請求項１の考案は、回転工具の基端側に設けられ手平又は指で圧持される細長の回転工具握柄部構造であって、該握柄部構造は、その横断面の外面形状が略多角形のものからなり、多角状の各面の全部又は一部には突起した筋目がその長手方向及び長手直角方向にほぼ沿って多数本形成されることを特徴とする。
【０００７】
また、請求項２の考案は、前記筋目が傾斜して形成されることを特徴とする。
【０００８】
また、請求項３の考案は、長手直角方向に沿って形成される前記筋目の本数が長手方向において相異することを特徴とする。
【考案の効果】
【０００９】
請求項１の考案によれば、握柄部の横断面を多角形とし、かつ握柄部の長手方向や長手直角方向にほぼ沿って突起した筋目群を形成することにより、手平や指のすべりをなくし、回転力ロスを大幅に低減することができる。
【００１０】
また、請求項２の考案によれば、筋目を傾斜させ、その傾斜角を工夫することにより、より一層の回転力ロスの低減が図れる。
【００１１】
また、請求項３の考案によれば、握柄部に圧接する手平や指の圧力に対応して筋目群の本数を変ることにより、有効な回転力を与えることができ、回転力ロスの一層の低減ができる。
【考案を実施するための最良の形態】
【００１２】
以下、本考案の回転工具握柄部構造の実施の形態を図面を参照して詳述する。まず、図６及び図７により、回転工具の回転動作時における握柄部と手平や指の圧接形態を説明する。図６は手平で握柄部２を圧持する一般のドライバの圧接状態を示すものである。この把持形態は図６（ｂ）に示すように、人差し指１１の腹１１ａと握柄部２とが領域Ａで示す広い範囲で圧接し、この部分に大きな圧持力が作用する。また、親指１２の腹１２ａと握柄部２も領域Ｂに示す範囲で圧持力が作用する。また、図６（ａ）に示すように、親指１２，人差し指１１，中指１３，薬指１４の先端の腹部がＣに示すように握柄部２側に圧接する。以上により、領域Ａ，Ｂ，やＣの部分にすべりが生じないような工夫が握柄部２側に必要になる。一方、図６は比較的力強い回転力を与えると共に図７（ａ），（ｂ）のような握持方法では回転工具が回転し難い場合によく用いる握持形態を示すものである。この場合は握柄部２と手平や指との圧接状態を詳しく観察すると、まず図７（ａ）に示すように親指１２の腹１２ａや人差し指１１の腹１１ａ及び中指１３の腹１３ａがＤ，Ｅ，Ｆに示すように握柄部２に圧接される。また、図７（ｂ）に示すように親指１２と人差し指１１との腹１２ａ，１１ａが広い範囲のＧ，Ｈにわたって握柄部２側に圧接している状態がわかる。以上の観察から、手平と指とは握柄部２の長手方向や長手直交方向に対して複雑に圧接し、単純の形態の凹凸形状を握柄部２に形成しても効果が薄いことがわかる。即ち、全体及び小範囲にわたって滑り止めが必要になることがわかった。
【００１３】
図８は握柄部２の各種の横断面形状を表示したものである。図８（ａ）は円形のもの、図８（ｂ）は溝部を円形部に形成したもの、図８（ｃ）は多角形（図示は六角形）にしたもの、図８（ｄ）は図８（ｃ）の外面に凹凸部を形成したものを夫々示す。当然ながら回転力作動時において図８（ａ）のものが最も滑り易く、図８（ｂ），図８（ｃ），図８（ｄ）に行く従って、回転力動作時の滑りが少なくなることがわかる。
本考案は、図６，図７，図８に示した観察や思向を基にして握柄部構造を考案したもので以下にその具体的形態の数例について説明するが、本考案はこれ等に限定するものではなく、同一の技術的範疇のものが含まれることは勿論である。
【実施例１】
【００１４】
図１は回転工具の代表のドライバ１を示し、そのドライバ１の握柄部２に本考案を適用した実施例を示す。ドライバ１は、先端のビット３と、軸部４と軸部４の基端側が嵌着される握柄部２等とからなる。本考案のドライバ１はこの握柄部２の構造に特徴を有するものである。なお、握柄部２としては図示のように中央部に「ふくらみ」をもつ緩いカーブの太鼓状のものからなり、通常ゴム材や軟硬質の樹脂材から形成されているが、この構造は公知のものであり、説明を省略する。
【００１５】
本考案の握柄部２は、まず、図３に示すように横断面が多角状（図示では六角状）のものからなる。なお、六角状の各面は図示のように直線的でなくてもよく、やや外方にふくらんだ曲線形状のものでもよい。六角状の夫々の面５は隣接する面５との交差部において凹部７を形成してもよく、凹部７がなくてもよい。但し、実際上の形状としては図３（ａ）に示すものではなく図３（ｂ）のように、ベース円筒部６から夫々の面５が突出して形成され、突出した夫々の面５に接する包絡線８が六角状のものからなる外観状望ましく、かつ製作し易い。
【００１６】
図２は本考案のドライバ１の握柄部２の詳細構造を示すものである。ベース円筒部６（図３（ｂ））から突出した面５には長手方向及び長手直角方向に沿って多数本（図示では４本）の筋目９が面５から突起して一体的に形成される。即ち、長手方向によって４本の筋目９からなる筋目群１０が複数箇所（図示では５箇所）適宜間隔で形成されている。また、夫々の他の面５にも図２，図３に示すように長手方向によって筋目群１０が同位置に複数箇所形成されている。この筋目９の高さや長さは適宜のものでよいが実際上、この握柄部２を手平や指で圧持した場合に図６，図７で示したＡ乃至Ｈに相当する範囲や部分に形成されることが望ましい。なお、本実施例ではすべての面５に筋目群１０が形成されているが、筋目群１０のない面５があってもよい。
【００１７】
以上のような構造の筋目群１０を握柄部２に形成することにより、手平や指はこの筋目群１０に圧接され、筋目群１０のない場合に較べて滑りがなくなり、大きな回転力をビット３側に与えることができる。また、握柄部２の握り方を変えた場合でも筋目群１０が握柄部２に細かく形成されているため、手平や指が必ず筋目群１０に圧接され、大きな回転力を常に発生させることができる。また、この筋目群１０は握柄部２の成形時に一体的に形成されるものであり、特別の処置をする必要がなく、簡便に形成され、コスト高も生じない。以上のように、握柄部の多角形状と筋目群１０の形成により、従来のドライバ等の握柄部とは大きく相異する大きな回転力をビット３側に与えることができる。
【実施例２】
【００１８】
図４は筋目９を傾斜させて形成した実施例を示す。この傾斜方向は一定でもよいが、筋目群１０ごとに方向や傾斜角を変えてもよい。筋目９を傾斜させることにより、手平や指との圧接状態を微妙に調整でき、図１乃至図３に示したものより、より一層大きな回転力を生じさせることができる。
【実施例３】
【００１９】
図５は筋目群１０の本数を長手方向に沿って変化させたものである。これによって、手平や指と最も圧接する場所に本数の筋目群１０を配置することができ、より一層大きな回転力を付加することができる。なお、図５の筋目群１０は直線的のものであるが、図４のように傾斜させてもよいことは勿論である。
【産業上の利用可能性】
【００２０】
本考案は、握柄部を有するすべての回転工具に適用される。特に、使用頻度の多いドライバの握柄部としては最適であるが、各種のものに使用され広範囲の利用可能性がある。
【図面の簡単な説明】
【００２１】
【図１】本考案の握柄部構造を回転工具の代表例であるドライバに適用した場合の全体構造を示す平面図。
【図２】図１の握柄部の詳細構造を示す拡大平面図。
【図３】図２のＡ−Ａ線断面図（ａ）は模式図、（ｂ）は実際図。
【図４】傾斜した筋目群を示す部分平面図。
【図５】長手方向の筋目群の本数を変化させた実施例を示す部分平面図。
【図６】握柄部と手平及び指の圧接状態を示す平面図（ａ）及び（ａ）のＸ矢視図（ｂ）。
【図７】握柄部と手平及び指の圧接状態の他の例を示す平面図（ａ）及び（ａ）のＹ矢視図（ｂ）。
【図８】握柄部の横断面形状と回転力との関係を説明するための模式横断面図。
【符号の説明】
【００２２】
１      ドライバ
２      握柄部
３      ビット
４      軸部
５      面
６      ベース円筒部
７      凹部
８      包絡線
９      筋目
１０    筋目群
１１    人差し指
１１ａ  腹
１２    親指
１２ａ  腹
１３    中指
１４    薬指
【図１】
0003101160.tif 000003
【図２】
0003101160.tif 000004
【図３】
0003101160.tif 000005
【図４】
0003101160.tif 000006
【図５】
0003101160.tif 000007
【図６】
0003101160.tif 000008
【図７】
0003101160.tif 000009
【図８】
0003101160.tif 000010